(57)【要約】【課題】操作部の脱落を抑制可能な光電センサを提供すること。【解決手段】光電センサ１は、本体ケース１０により基板と平行な軸にて回転可能に支持され、本体ケース１０の外部からの回転操作によりスイッチ素子を操作する動作切替子２５を備える。動作切替子２５は、軸体５２と、軸体５２の一方の端部に設けられた操作部５１と、軸体５２の他方の端部側に設けられてスイッチ素子を操作するカム部５３と、軸体５２より径方向外側にあって弾性変形可能な複数の弾性係止片５４ａを有する。本体ケース１０は、操作部５１が挿入される貫通孔１４ｃと、動作切替子２５の操作部と軸体が挿通可能なであり、弾性係止片５４ａが弾性変形して通過するように挿入孔７３が形成された底板部７２と、底板部７２を支持する支持板とから構成され、複数の弾性係止片を収容する収容室７０を有する。【選択図】図４
2019175801.tif 000002
【特許請求の範囲】
【請求項１】
第１面に投光素子と受光素子の少なくとも一方の光電素子が搭載され、前記第１面と異なる第２面に前記第２面と垂直な方向に操作されるスイッチ素子が搭載され、前記第１面及び前記第２面の少なくとも一方に前記スイッチ素子の操作に基づく信号を処理するとともに前記光電素子の制御を行う制御回路とが搭載された基板と、
前記基板を収容する本体ケースと、
前記本体ケースにより前記基板と平行な軸にて回転可能に支持され、前記本体ケースの外部からの回転操作により前記スイッチ素子を操作する回転操作子と、
を備え、
前記回転操作子は、軸体と、前記軸体の一方の端部に設けられた操作部と、前記軸体の前記操作部よりも他方側に設けられて前記スイッチ素子を操作するカム部と、前記軸体の前記操作部と前記カム部との間に、前記軸体より径方向外側にあって弾性変形可能な弾性係止片を有し、
前記本体ケースは、前記操作部が挿入される貫通孔と、前記回転操作子の前記操作部と前記軸体が挿通可能なであり、前記弾性係止片が弾性変形して通過するように挿通孔が形成された底板部と、前記底板部を支持する支持板とから構成され、前記弾性係止片を収容する収容室を有すること、
を特徴とする光電センサ。
【請求項２】
前記回転操作子において、前記操作部は前記軸体より小径な外形を有し、
前記本体ケースの前記貫通孔は、前記操作部が挿入される第１貫通孔と、前記第１貫通孔より内径が大きく前記軸体が挿入される第２貫通孔とからなること、
を特徴とする請求項１に記載の光電センサ。
【請求項３】
前記操作部には、前記操作部を操作する被操作手段が嵌合する凹凸形状を備え、
前記本体ケースは、前記操作部が前記本体ケースの表面から突出しないように、前記本体ケースと面一に前記回転操作子を収容すること、を特徴とする請求項１又は２に記載の光電センサ。
【請求項４】
前記弾性係止片は、前記軸体から前記回転操作子の回転軸と直交する方向に延びる支持部と、前記支持部から前記回転軸を中心とする周方向に延びる係止部とを備え、
前記底板部は、前記係止部を弾性変形させる係止片を有すること、
を特徴とする請求項１〜３の何れか一項に記載の光電センサ。
【請求項５】
前記弾性係止片の前記係止部には、前記操作部の側に傾斜面を有し、
前記係止片には、前記操作部と反対側に前記係止部の傾斜面と係合する傾斜面を有すること、
を特徴とする請求項４に記載の光電センサ。
【請求項６】
前記本体ケースは、前記回転操作子が回転する軸上に前記回転操作子の軸方向の移動を規制する壁部を有することを特徴とする請求項１〜５の何れか一項に記載の光電センサ。
【請求項７】
前記第１面には、前記投光素子と前記受光素子とが搭載され、
前記制御回路は、前記投光素子の投光を制御するとともに、前記受光素子の入射光に基づいて検出対象物の有無を検出した検出信号を出力する構成であり、
前記本体ケースは、前記投光素子の出射光が透過する投光窓部と、前記受光素子の入射光が透過する受光窓部とを有していること
を特徴とする請求項１〜６の何れか一項に記載の光電センサ。
【請求項８】
前記回転操作子は、複数の前記弾性係止片を有していることを特徴とする請求項１〜７の何れか一項に記載の光電センサ。
【請求項９】
前記回転操作子の前記操作部は、前記本体ケースの内部から前記貫通孔に挿入されていることを特徴とする請求項１〜８の何れか一項に記載の光電センサ。
【発明の詳細な説明】
【技術分野】
【０００１】
光電センサに関する。
【背景技術】
【０００２】
従来、光によって物体の有無等を検出する光電センサが知られている。こうした光電センサには、感度調整や光電センサの動作設定のための操作部を備えたものがある（例えば、特許文献１参照）。操作部は、動作設定のためのロータリスイッチと同軸状に配置される。操作部に例えばネジ回しなどを挿入し、そのネジ回しによって操作部を介してロータリスイッチを切り替えることで、動作設定を行う。
【先行技術文献】
【特許文献】
【０００３】
【特許文献１】特開２００４−１２７８５６号公報
【発明の概要】
【発明が解決しようとする課題】
【０００４】
ところで、操作部は、光電センサの使用者が持つネジ回しにより操作される。このため、ねじ回し等を操作部に押し付ける力が大きすぎると、その力によって操作部が脱落したりして設定不能となる虞がある。
【０００５】
本発明の目的は、操作部の脱落を抑制可能な光電センサを提供することにある。
【課題を解決するための手段】
【０００６】
上記課題を解決する光電センサは、第１面に投光素子と受光素子の少なくとも一方の光電素子が搭載され、前記第１面と異なる第２面に前記第２面と垂直な方向に操作されるスイッチ素子が搭載され、前記第１面及び前記第２面の少なくとも一方に前記スイッチ素子の操作に基づく信号を処理するとともに前記光電素子の制御を行う制御回路とが搭載された基板と、前記基板を収容する本体ケースと、前記本体ケースにより前記基板と平行な軸にて回転可能に支持され、前記本体ケースの外部からの回転操作により前記スイッチ素子を操作する回転操作子と、を備え、前記回転操作子は、軸体と、前記軸体の一方の端部に設けられた操作部と、前記軸体の前記操作部よりも他方側に設けられて前記スイッチ素子を操作するカム部と、前記軸体の前記操作部と前記カム部との間に、前記軸体より径方向外側にあって弾性変形可能な弾性係止片を有し、前記本体ケースは、前記操作部が挿入される貫通孔と、前記回転操作子の前記操作部と前記軸体が挿通可能なであり、前記弾性係止片が弾性変形して通過するように挿通孔が形成された底板部と、前記底板部を支持する支持板とから構成され、前記弾性係止片を収容する収容室を有する。
【０００７】
この構成によれば、回転操作子は、弾性係止片を弾性変形して組付けられる。このため、弾性係止片と収容室の底板部との係合により、本体ケースの内部の抜けを抑制する。
上記の光電センサは、前記回転操作子において、前記操作部は前記軸体より小径な外形を有し、前記本体ケースの前記貫通孔は、前記操作部が挿入される第１貫通孔と、前記第１貫通孔より内径が大きく前記軸体が挿入される第２貫通孔とからなることが好ましい。
【０００８】
この構成によれば、回転操作子の本体ケースの外部への抜けを抑制できる。
上記の光電センサにおいて、前記操作部には、前記操作部を操作する被操作手段が嵌合する凹凸形状を備え、前記本体ケースは、前記操作部が前記本体ケースの表面から突出しないように、前記本体ケースと面一に前記回転操作子を収容することが好ましい。
【０００９】
この構成によれば、外部からの操作による回転操作子の脱落を抑制できる。
上記の光電センサにおいて、前記弾性係止片は、前記軸体から前記回転操作子の回転軸と直交する方向に延びる支持部と、前記支持部から前記回転軸を中心とする周方向に延びる係止部とを備え、前記底板部は、前記係止部を弾性変形させる係止片を有することが好ましい。
【００１０】
この構成によれば、弾性係止片の係止部を容易に弾性変形させ、回転操作子の組付けを容易にできる。
上記の光電センサは、前記弾性係止片の前記係止部には、前記操作部の側に傾斜面を有し、前記係止片には、前記操作部と反対側に前記係止部の斜面と係合する傾斜面を有することが好ましい。
【００１１】
この構成によれば、弾性係止片を容易に弾性変形して組付け容易となる。
上記の光電センサにおいて、前記本体ケースは、前記回転操作子が回転する軸上に前記回転操作子の軸方向の移動を規制する壁部を有することが好ましい。
【００１２】
この構成によれば、壁部によって回転操作子の本体ケースの内部への抜けを防止する。
上記の光電センサにおいて、前記第１面には、前記投光素子と前記受光素子とが搭載され、前記制御回路は、前記投光素子の投光を制御するとともに、前記受光素子の入射光に基づいて検出対象物の有無を検出した検出信号を出力する構成であり、前記本体ケースは、前記投光素子の出射光が透過する投光窓部と、前記受光素子の入射光が透過する受光窓部とを有していることが好ましい。
【００１３】
この構成によれば、反射型光電センサに設けられる回転操作子の本体ケースの内部への抜けを抑制できる。
上記の光電センサにおいて、前記回転操作子は、複数の前記弾性係止片を有していることが好ましい。
【００１４】
この構成によれば、複数の弾性係止片により、回転操作子の抜けを抑制できる。
上記の光電センサにおいて、前記回転操作子の前記操作部は、前記本体ケースの内部から前記貫通孔に挿入されていることが好ましい。
【００１５】
この構成によれば、回転操作子は、本体ケースの内部となる側から貫通孔に挿入される。このため、弾性係止片と収容室の底板部との係合により、本体ケースの内部の抜けを抑制する。
【発明の効果】
【００１６】
開示の光電センサによれば、操作部の脱落を抑制できる。
【図面の簡単な説明】
【００１７】
【図１】（ａ）は光電センサの正面図、（ｂ）は光電センサの側面図、（ｃ）は光電センサの上面図。
【図２】光電センサの斜視図。
【図３】光電センサの概略断面図。
【図４】図３の４−４線断面図。
【図５】収容室及び回転操作子の一部を示す斜視断面図。
【図６】（ａ）（ｂ）は、スイッチ素子に対する回転操作子の状態を示す説明図。
【図７】（ａ）（ｂ）は図３の７−７線断面図であり、回転操作子の動作を示す説明図。
【発明を実施するための形態】
【００１８】
以下、一実施形態を説明する。
なお、添付図面は、理解を容易にするために構成要素を拡大して示している場合がある。構成要素の寸法比率は実際のものと、または別の図面中のものと異なる場合がある。また、断面図では、理解を容易にするために、一部の構成要素のハッチングを省略している場合がある。
【００１９】
図１（ａ）、図１（ｂ）、図１（ｃ）、及び図２に示すように、光電センサ１の本体ケース１０は、上下方向に長い概略矩形箱状である。図１（ｂ）に示すように、本体ケース１０は、側面視で矩形の１つの角を切り欠いた五角形状である。その切り欠いた部分にケーブル２１が配設されている。
【００２０】
この本体ケース１０は、前カバー１１、ベース部１２、主ケース１３、上部カバー１４を備えている。主ケース１３は、前方及び上方が開口した概略矩形状である。ベース部１２は、光電センサ１における投光及び受光が通過する枠状に形成され、取付孔１２ａ，１２ｂを有している。ベース部１２は、主ケース１３の前部分に取着されている。前カバー１１は、投光窓部１１ａ及び受光窓部１１ｂを有し、ベース部１２の前に取着されている。上部カバー１４は、主ケース１３とベース部１２とにより形成される上部開口を塞ぐように取着されている。上部カバー１４は、前後方向の略中央の表示部１４ａと、その表示部１４ａの前後の貫通孔１４ｂ，１４ｃを有している。貫通孔１４ｂ，１４ｃには、操作部４１，５１が配設されている。操作部４１は、この光電センサ１の検出距離を設定するために設けられ、操作部５１は、光電センサ１の動作を切り替えるために設けられている。各操作部４１，５１は、上部カバー１４の上面より突出しないように配設されている。
【００２１】
図３は、本体ケース１０のみを断面にて示し、主ケース１３に収容された部材を示している。
光電センサ１は、基板２２、受光レンズ２３、距離調整子２４、回転操作子としての動作切替子２５を備えている。
【００２２】
受光レンズ２３は、レンズ部２３ａと、レンズ部２３ａから後方に向って延び幅方向に併設された一対の調整部２３ｂとを備えている。受光レンズ２３は、前カバー１１とベース部１２とによって上下方向に移動可能に支持されている。一対の調整部２３ｂの間には距離調整子２４の調整軸部４３が挿通されている。距離調整子２４は、操作部４１、支持部４２、調整軸部４３を有し、所定の軸（回転軸）に沿って配列されている。操作部４１は、上部カバー１４の貫通孔１４ｂに挿入されている。支持部４２はフランジ状に形成され、この支持部４２は、主ケース１３、詳しくは上部カバー１４とベース部１２との間に配設され、これにより距離調整子２４が光電センサ１の上下方向に延びる軸（回転軸）にて回動可能に支持されている。距離調整子２４の調整軸部４３にねじ山（雄ねじ）が形成され、その雄ねじは、受光レンズ２３の調整部２３ｂと係合する。受光レンズ２３は、距離調整子２４の調整軸部４３の正逆回転によって上下動する。この受光レンズ２３の位置により、光電センサ１の検出距離（検出領域の範囲）が調整される。
【００２３】
基板２２は、第１面２２ａと第２面２２ｂとを有し、第１面２２ａを前カバー１１に向けて本体ケース１０内に固定されている。基板２２の第１面２２ａには、投光素子３１が搭載されている。投光素子３１は、例えば発光ダイオードである。投光素子３１から出射された検出光は、ベース部１２と前カバー１１の投光窓部１１ａを介して光電センサ１の外部へと出射される。
【００２４】
基板２２の第１面２２ａには、受光素子３２が実装されている。受光素子３２は、例えばラインＣＣＤであり、基板２２に取着されたシールドケース３３の中に配設されている。シールドケース３３は、基板２２の第１面２２ａの一部と第２面２２ｂの一部とを覆うように形成されている。また、シールドケース３３には、受光素子３２の前方に入射光が通過するスリット（図示略）が設けられている。受光素子３２は、前カバー１１の受光窓部１１ｂとベース部１２とを介して入射する光の受光の有無を検出する。
【００２５】
投光素子３１から出射された検出光は、検出対象物により反射される。例えば、検出可能な位置に検出対象物が存在する場合、検出対象物による反射光は、受光レンズ２３を介して受光素子３２に入射する。受光素子３２において光が入射する位置は、検出対象物の位置と受光レンズ２３の位置に対応する。つまり、受光素子３２に光が入射可能な位置が、この光電センサ１において検出対象物を検出可能な検出領域となる。受光レンズ２３の位置に応じて、光電センサ１から検出領域までの距離が変化する。したがって、距離調整子２４は、光電センサ１から検出領域までの距離を調整する。
【００２６】
基板２２の第２面２２ｂにあってシールドケース３３により覆われた部分には、制御装置３４が基板２２に実装されている。制御装置３４は、半導体パッケージであり、投光素子３１の駆動、受光素子３２に対する入射光に基づく検出対象物の有無の検出、その検出結果に応じた検出信号の出力、等を行う。
【００２７】
基板２２の第２面２２ｂには、スイッチ素子３５が実装されている。スイッチ素子３５は、動作切替子２５により操作される。本実施形態において、スイッチ素子３５は、動作切替子２５の動作に基づいてオンオフ操作される。制御装置３４は、スイッチ素子３５のオンオフ操作に基づく信号を処理し、動作を切り替える。例えば、制御装置３４は、スイッチ素子３５がオンされている場合に第１の動作に切り替え、スイッチ素子３５がオフされている場合に第２の動作に切り替える。第１の動作及び第２の動作は、例えば、検出結果に対する出力レベルである。第１の動作において、例えば、受光素子３２に入射がある、つまり、検出対象物が検出領域に存在しその検出対象物による反射光が受光素子３２に入射するとき、第１レベル（例えばＨレベル）の検出信号を出力し、受光素子３２に入射が無いときに第２レベル（例えばＬレベル）の検出信号を出力する。第２の動作において、例えば受光素子３２に入射があるときに第２レベルの検出信号を出力し、受光素子３２に入射が無いときに第１レベルの検出信号を出力する。
【００２８】
基板２２の上部の第１面２２ａには表示灯３６が搭載されている。表示灯３６は、基板２２の上端に沿って複数（例えば２つ）設けられている。なお、図３では、複数の表示灯３６が重なり合って示される。表示灯３６は例えば発光ダイオードである。表示灯３６は、光電センサ１の動作状態を外部へ通知するために設けられている。上部カバー１４の表示部１４ａを介して表示灯３６の点灯・消灯を確認できる。例えば、表示灯３６は、光電センサ１が動作中であるとき、安定した検出を行っているとき、等により点灯・消灯される。
【００２９】
動作切替子２５は、本体ケース１０に回動可能に支持されている。詳述すると、本体ケース１０の上部カバー１４には、動作切替子２５を回動可能に支持するとともに、上述した貫通孔１４ｃにより動作切替子２５の一部が挿入されるとともに動作切替子２５が上部カバー１４から突出しないように構成されている。また、上部カバー１４は、動作切替子２５の回動軸に沿った本体ケース１０の内部への移動を規制するように構成されている。また、本体ケース１０の主ケース１３は、上部カバー１４に支持された動作切替子２５の回動軸上に、壁部１３ｂを備えている。
【００３０】
動作切替子２５は、操作部５１、軸体５２、カム部５３、弾性係止片５４ａ〜５４ｄを備えている。軸体５２は概略円柱状に形成されている。操作部５１は、軸体５２の一方の端部に設けられカム部５３は軸体５２の他方の端部に設けられている。
【００３１】
図４に示すように、操作部５１は、軸体５２より外径（直径）が小さい（小径な）外形を有している。上部カバー１４の貫通孔１４ｃは、軸体５２が挿入される第１貫通孔１４ｃ１と、その第１貫通孔１４ｃ１より上部カバー１４の表面側にあって第１貫通孔１４ｃ１より小径な第２貫通孔１４ｃ２とから構成されている。操作部５１は、上部カバー１４の第２貫通孔１４ｃ２に配置されている。軸体５２には、Ｏリング６１が装着されている。
【００３２】
操作部５１には、所定のスリット５１ａが形成され、そのスリット５１ａには本体ケース１０の外部から所定の工具（例えばマイナスドライバー）が挿入可能である。動作切替子２５は、所定の工具により正逆回転される。
【００３３】
図５、図６（ａ）、図６（ｂ）、図７（ａ）、図７（ｂ）に示すように、軸体５２には、径方向外側に複数（本実施形態では４つ）の弾性係止片５４ａ，５４ｂ，５４ｃ，５４ｄを有している。弾性係止片５４ａは、軸体５２から径方向外側に突出する支持部５５ａと、その支持部５５ａから周方向に延びる係止部５６ａとを備えている。同様に、弾性係止片５４ｂ，５４ｃ，５４ｄはそれぞれ、軸体５２から径方向外側に突出する支持部５５ｂ，５５ｃ，５５ｄと、その支持部５５ｂ，５５ｃ，５５ｄから周方向に延びる係止部５６ｂ，５６ｃ，５６ｄとを備えている。また、軸体５２には、支持部５５ａ，５５ｄの間にて径方向外側に向って膨らむ膨出部５８が形成されている。
【００３４】
弾性係止片５４ａ，５４ｂの係止部５６ａ，５６ｂは、支持部５５ａ，５５ｂから周方向において互いに異なる方向に沿って延びるように形成され、各係止部５６ａ，５６ｂの先端が周方向において互いに対向している。同様に、弾性係止片５４ｃ，５４ｄの係止部５６ｃ，５６ｄは、支持部５５ｃ，５５ｄから周方向において互いに異なる方向に沿って延びるように形成され、各係止部５６ｃ，５６ｄの先端が周方向において互いに対向している。
【００３５】
図３及び図５に示すように、各係止部５６ａ，５６ｂ，５６ｃ，５６ｄは、操作部５１の側に傾斜面（テーパ面）５７ａ，５７ｂ，５７ｃ，５７ｄを有している。より具体的には、操作部５１からカム部５３の方向（図４紙面下方向）に末広がり状の傾斜面が形成されている。
【００３６】
図４及び図５に示すように、上部カバー１４は、軸体５２及び弾性係止片５４ａ〜５４ｄを収容する収容室７０を備えている。収容室７０は、上部カバー１４において、上下方向に延びる一対の支持壁７１ａ，７１ｂと、支持壁７１ａ，７１ｂの下端を互いに連結するとともに、動作切替子２５と係合する底板部７２とを有している。
【００３７】
底板部７２には、動作切替子２５が概略挿通される挿入孔７３が形成されている。詳述すると、底板部７２の挿入孔７３は、動作切替子２５の操作部５１と、軸体５２の弾性係止片５４ａ〜５４ｄを構成する支持部５５ａ〜５５ｄが挿通可能に形成されるとともに、動作切替子２５の装着時に係止部５６ａ〜５６ｄを弾性変形させて通過するように形成されている。
【００３８】
詳述すると、挿入孔７３は概略円形状に形成され、底板部７２は、挿入孔７３の中心に向って突出する一対の突出部７４ａ，７４ｂと、中心に向って円の一部を直線にて切り欠くように膨出する係止片７５ａ，７５ｂとを有している。突出部７４ａ，７４ｂは、挿入孔７３の中心を通る第１の直線上に配置され、互いに中心に向って突出している。突出部７４ａ，７４ｂは、中心に向う長さが互いに異なっている。突出部７４ａは、上述の動作切替子２５の膨出部５８に応じて突出部７４ｂよりも短く形成されている。これら一対の突出部７４ａ，７４ｂと膨出部５８とにより、動作切替子２５の装着方向を設定する。つまり、図７（ｂ）に示すように、動作切替子２５は、突出部７４ａ，７４ｂが弾性係止片５４ａ〜５４ｄの支持部５５ａ，５５ｃと支持部５５ｂ，５５ｄの間となるとともに、膨出部５８と突出部７４ａとが対向するように、装着方向、つまり装着時の姿勢が設定される。
【００３９】
底板部７２の係止片７５ａ，７５ｂは、設定された姿勢の動作切替子２５の装着時において、係止部５６ａ〜５６ｄと係合してそれら係止部５６ａ〜５６ｄを弾性変形させる。各係止片７５ａ，７５ｂには、本体ケース１０の内側に傾斜面（テーパ面）を有し、係止部５６ａ〜５６ｄの弾性変形を容易としている。そして、底板部７２の係止片７５ａ，７５ｂは、装着された動作切替子２５において、動作切替子２５の係止部５６ａ〜５６ｄと動作切替子２５の軸方向において係合し、動作切替子２５の本体ケース１０の内側への抜けを抑制する。
【００４０】
図３及び図４に示すように、本体ケース１０、より詳しくは主ケース１３は、動作切替子２５の回転軸上に壁部１３ｂを有している。本実施形態において、壁部１３ｂは、主ケース１３に一体形成されている。壁部１３ｂは、動作切替子２５を支持する上部カバー１４が主ケース１３に組付けられた状態において、動作切替子２５とその動作切替子２５の軸方向において、当接している。本明細書において、当接は、動作切替子２５と壁部１３ｂとが接している状態、動作切替子２５と壁部１３ｂが所望の隙間で互いに対向している状態を含む。動作切替子２５と壁部１３ｂとの間の隙間は、動作切替子２５に加わる力によって弾性係止片５４ａ〜５４ｄが撓んでも、それら弾性係止片５４ａ〜５４ｄが収容室７０の底板部７２よりも本体ケース１０の内側に移動しない程度とすることができる。
【００４１】
図７（ａ）及び図７（ｂ）に示すように、動作切替子２５の弾性係止片５４ａ〜５４ｄと底板部７２の突出部７４ａ，７４ｂと係止片７５ａ，７５ｂは、少なくとも２箇所において互いに係合する。これにより、動作切替子２５を正逆回転可能に支持するとともに、軸方向に沿った本体ケース１０の内側への移動、つまり本体ケース１０の内側への抜けを抑制する。
【００４２】
（作用）
次に、本実施形態の光電センサ１の作用を説明する。
動作切替子２５は、本体ケース１０によって本体ケース１０に収容された基板２２と平行な軸により回転可能に支持されている。基板２２の第２面２２ｂには、その第２面２２ｂと垂直な方向の操作によってオンオフ操作されるスイッチ素子３５が実装されている。図６（ａ）及び図６（ｂ）に示すように、動作切替子２５のカム部５３は、基板２２に実装されたスイッチ素子３５をオンオフ操作する。図３に示す制御装置３４は、スイッチ素子３５のオンオフ操作に基づく信号を処理する。このように、カム部５３によって基板２２に実装されたスイッチ素子３５を操作するため、動作切替子２５を操作する力がつよくても、その力はスイッチ素子３５に影響しないため、操作力によるスイッチ素子３５の故障を防止することができる。
【００４３】
動作切替子２５は、本体ケース１０に回動可能に支持されている。本体ケース１０の上部カバー１４には、動作切替子２５を回動可能に支持するとともに、貫通孔１４ｃにより動作切替子２５の一部が挿入されるとともに動作切替子２５が上部カバー１４から突出しないように構成されている。このため、本体ケース１０の外部では動作切替子２５に引っかかり難いため、動作切替子２５を誤って破損させることが防止される。
【００４４】
また、上部カバー１４は、動作切替子２５の回動軸に沿った本体ケース１０の内部への移動を規制するように構成されている。このため、動作切替子２５を操作する際の力によって、動作切替子２５が本体ケース１０の内部へ抜け落ちることが抑制される。
【００４５】
また、本体ケース１０の主ケース１３は、上部カバー１４に支持された動作切替子２５の回動軸上に、壁部１３ｂを備えている。このため、動作切替子２５を操作する際の力が過剰であっても、動作切替子２５が本体ケース１０の内部へ抜け落ちることが防止される。
【００４６】
操作部５１は、軸体５２より外径（直径）が小さい外形を有している。上部カバー１４の貫通孔１４ｃは、軸体５２が挿入される第１貫通孔１４ｃ１と、その第１貫通孔１４ｃ１より上部カバー１４の表面側にあって第１貫通孔１４ｃ１より小径な第２貫通孔１４ｃ２とから構成されている。操作部５１は、上部カバー１４の第２貫通孔１４ｃ２に配置されている。軸体５２には、Ｏリング６１が装着されている。従って、動作切替子２５は、本体ケース１０を構成する上部カバー１４において、本体ケース１０の内部となる側から上部カバー１４に組付けられる。このため、動作切替子２５が本体ケース１０から外部へと抜けないので、動作切替子２５を誤って脱落させることが防止される。
【００４７】
上部カバー１４は、軸体５２及び弾性係止片５４ａ〜５４ｄを収容する収容室７０を備えている。収容室７０は、上部カバー１４において、上下方向に延びる一対の支持壁７１ａ，７１ｂと、支持壁７１ａ，７１ｂの下端を互いに連結するとともに、動作切替子２５と係合する底板部７２とを有している。
【００４８】
底板部７２には、動作切替子２５が概略挿通される挿入孔７３が形成されている。詳述すると、底板部７２の挿入孔７３は、動作切替子２５の操作部５１と、軸体５２の弾性係止片５４ａ〜５４ｄを構成する支持部５５ａ〜５５ｄが挿通可能に形成されるとともに、動作切替子２５の装着時に係止部５６ａ〜５６ｄを弾性変形させて通過するように形成されている。従って、動作切替子２５の係止部５６ａ〜５６ｄを弾性変形することにより、この動作切替子２５を容易に上部カバー１４に取り付けることができる。
【００４９】
底板部７２の係止片７５ａ，７５ｂは、設定された姿勢の動作切替子２５の装着時において、係止部５６ａ〜５６ｄと係合してそれら係止部５６ａ〜５６ｄを弾性変形させる。各係止片７５ａ，７５ｂには、本体ケース１０の内側に傾斜面（テーパ面）、より具体的には、上部カバー１４から視て末広がり状の傾斜面を有し、係止部５６ａ〜５６ｄの弾性変形を容易としている。そして、底板部７２の係止片７５ａ，７５ｂは、装着された動作切替子２５において、動作切替子２５の係止部５６ａ〜５６ｄと動作切替子２５の軸方向において係合し、動作切替子２５の本体ケース１０の内側への抜けを抑制する。
【００５０】
主ケース１３は、動作切替子２５の回転軸上に壁部１３ｂを有している。壁部１３ｂは、動作切替子２５を支持する上部カバー１４が主ケース１３に組付けられた状態において、動作切替子２５とその動作切替子２５の軸方向において、当接している。このように、主ケース１３に壁部１３ｂを設けることにより、主ケース１３と上部カバー１４とを含む本体ケース１０を構成したときに、上部カバー１４に組付けた動作切替子２５の回転軸線上に壁部１３ｂを容易に配置してその壁部１３ｂを動作切替子２５に当接させることができる。
【００５１】
受光レンズ２３を上下動させる距離調整子２４は、支持部４２を有し、その支持部４２はフランジ状に形成され、この支持部４２は、主ケース１３、詳しくは上部カバー１４とベース部１２との間に配設され、これにより距離調整子２４が光電センサ１の上下方向に延びる軸（回転軸）にて回動可能に支持されている。このため、距離調整子２４を容易に組付けることができる。そして、距離調整子２４の支持部４２が上部カバー１４とベース部１２との間に配設されることにより、距離調整子２４が本体ケース１０の外に誤って脱落し難い。
【００５２】
以上記述したように、本実施形態によれば、以下の効果を奏する。
（１）光電センサ１は、本体ケース１０により基板２２と平行な軸にて回転可能に支持され、本体ケース１０の外部からの回転操作によりスイッチ素子３５をオンオフ操作する動作切替子２５を備える。動作切替子２５は、軸体５２と、軸体５２の一方の端部に設けられた操作部５１と、軸体５２の他方の端部側に設けられてスイッチ素子３５をオンオフするカム部５３と、軸体５２より径方向外側にあって弾性変形可能な複数の弾性係止片５４ａを有する。本体ケース１０は、操作部５１が挿入される貫通孔１４ｃと、動作切替子２５の操作部と軸体が挿通可能なであり、弾性係止片５４ａが弾性変形して通過するように挿入孔７３が形成された底板部７２と、底板部７２を支持する支持板とから構成され、複数の弾性係止片を収容する収容室７０を有する。
【００５３】
動作切替子２５は、本体ケース１０に回動可能に支持されている。本体ケース１０の上部カバー１４には、動作切替子２５を回動可能に支持するとともに、貫通孔１４ｃにより動作切替子２５の一部が挿入されるとともに動作切替子２５が上部カバー１４から突出しないように構成されている。このため、本体ケース１０の外部では動作切替子２５に引っかかり難いため、動作切替子２５を誤って脱落させることが防止される。
【００５４】
（２）上部カバー１４は、動作切替子２５の回動軸に沿った本体ケース１０の内部への移動を規制するように構成されている。このため、動作切替子２５を操作する際の力によって、動作切替子２５が本体ケース１０の内部へ抜け落ちることが抑制される。
【００５５】
（３）本体ケース１０の主ケース１３は、上部カバー１４に支持された動作切替子２５の回動軸上に、壁部１３ｂを備えている。このため、動作切替子２５を操作する際の力が過剰であっても、動作切替子２５が本体ケース１０の内部へ抜け落ちることが防止される。
【００５６】
（４）操作部５１は、軸体５２より外径（直径）が小さい外形を有している。上部カバー１４の貫通孔１４ｃは、軸体５２が挿入される第１貫通孔１４ｃ１と、その第１貫通孔１４ｃ１より上部カバー１４の表面側にあって第１貫通孔１４ｃ１より小径な第２貫通孔１４ｃ２とから構成されている。操作部５１は、上部カバー１４の第２貫通孔１４ｃ２に配置されている。軸体５２には、Ｏリング６１が装着されている。従って、動作切替子２５は、本体ケース１０を構成する上部カバー１４において、本体ケース１０の内部となる側から上部カバー１４に組付けられる。このため、動作切替子２５が本体ケース１０から外部へと抜けないので、動作切替子２５を誤って脱落させることが防止される。
【００５７】
（５）上部カバー１４は、軸体５２及び弾性係止片５４ａ〜５４ｄを収容する収容室７０を備えている。収容室７０は、上部カバー１４において、上下方向に延びる一対の支持壁７１ａ，７１ｂと、支持壁７１ａ，７１ｂの下端を互いに連結するとともに、動作切替子２５と係合する底板部７２とを有している。底板部７２には、動作切替子２５が概略挿通される挿入孔７３が形成されている。詳述すると、底板部７２の挿入孔７３は、動作切替子２５の操作部５１と、軸体５２の弾性係止片５４ａ〜５４ｄを構成する支持部５５ａ〜５５ｄが挿通可能に形成されるとともに、動作切替子２５の装着時に係止部５６ａ〜５６ｄを弾性変形させて通過するように形成されている。従って、動作切替子２５の係止部５６ａ〜５６ｄを弾性変形することにより、この動作切替子２５を容易に上部カバー１４に取り付けることができる。
【００５８】
（６）底板部７２の係止片７５ａ，７５ｂは、設定された姿勢の動作切替子２５の装着時において、係止部５６ａ〜５６ｄと係合してそれら係止部５６ａ〜５６ｄを弾性変形させる。各係止片７５ａ，７５ｂには、本体ケース１０の内側に傾斜面（テーパ面）を有し、係止部５６ａ〜５６ｄの弾性変形を容易としている。そして、底板部７２の係止片７５ａ，７５ｂは、装着された動作切替子２５において、動作切替子２５の係止部５６ａ〜５６ｄと動作切替子２５の軸方向において係合し、動作切替子２５の本体ケース１０の内側への抜けを抑制できる。
【００５９】
（７）主ケース１３は、動作切替子２５の回転軸上に壁部１３ｂを有している。壁部１３ｂは、動作切替子２５を支持する上部カバー１４が主ケース１３に組付けられた状態において、動作切替子２５とその動作切替子２５の軸方向において、当接している。このように、主ケース１３に壁部１３ｂを設けることにより、主ケース１３と上部カバー１４とを含む本体ケース１０を構成したときに、上部カバー１４に組付けた動作切替子２５の回転軸線上に壁部１３ｂを容易に配置してその壁部１３ｂを動作切替子２５に当接させることができる。
【００６０】
尚、上記各実施形態は、以下の態様に変更してもよい。
・上記実施形態に対し、弾性係止片の数を、２つ、３つ、又は５つ以上に適宜変更してもよい。
【００６１】
・上記実施形態では、スイッチ素子３５のオンオフ操作により動作を切り替えるようにしたが、例えばスイッチ素子３５がオンされた回数により動作を切り替えるようにしてもよい。
【００６２】
・上記実施形態では、オンオフ操作されるスイッチ素子３５を用いたが、その他の構成のスイッチ素子を用いてもよい。例えば、揺動可能なレバーを有し、そのレバーを動作切替子２５の正逆回転により操作し、正回転に応じた第１信号と、逆回転に応じた第２信号とを出力するものとしてもよい。
【００６３】
・上記実施形態では、基板２２の表面と裏面とを第１面と第２面としたが、第１面と第２面とが表裏以外の基板を用いてもよい。例えば、フレキシブル基板やコネクタを用いて互いに垂直となるように組み合わされた基板や、例えば直方体の表面に配線パターンが形成された立体的な基板を用いてもよい。
【００６４】
・上記実施形態では、スイッチ素子３５のオンオフにより動作を切り替えるものとして、例えば、受光素子３２にて受光した信号に対する増幅度、投光素子３１における出射光の強度、等を切り替えることもできる。
【００６５】
・上記実施形態では、回転操作子として動作切替子２５を用いた光電センサ１としたが、その他の操作を行うための回転操作子を設けるようにしてもよい。
・上記実施形態は、投光素子３１と受光素子３２とを備えた光電センサ１であるが、投光素子３１と受光素子３２の何れか一方を光電素子として搭載した光電センサとしてもよい。この場合、投光素子を搭載した光電センサと受光素子を搭載した光電センサとが組み合わされて検出対象物が検出される。
【符号の説明】
【００６６】
１０…本体ケース、２２…基板、２２ａ…第１面、２２ｂ…第２面、２５…回転操作子としての動作切替子、３１…投光素子、３２…受光素子、３５…スイッチ素子、５１…操作部、５２…軸体、５３…カム部、５４ａ〜５４ｄ…弾性係止片、７０…収容室。
【図１】
2019175801.tif 000003
【図２】
2019175801.tif 000004
【図３】
2019175801.tif 000005
【図４】
2019175801.tif 000006
【図５】
2019175801.tif 000007
【図６】
2019175801.tif 000008
【図７】
2019175801.tif 000009